(57)【要約】【課題】一方画像及び他方画像の各々を容易に変更することが可能な画像選択装置を提供する。【解決手段】画像選択装置１００は、表示部１０と、制御部５０とを備える。表示部１０は、画像比較画面１２を表示可能である。画像比較画面１２は、並ぶように配置される第１表示領域１２ａと第２表示領域１２ｂとを含む。第１表示領域１２ａに対する操作が行われる毎に、第１表示領域１２ａに表示される画像が複数の画像Ｘのうちのいずれかの画像に変更される。第２表示領域１２ｂに対する操作が行われる毎に、第２表示領域１２ｂに表示される画像が複数の画像Ｘのうちのいずれかの画像に変更される。【選択図】図１
2020008934.tif 000002
【特許請求の範囲】
【請求項１】
複数の画像のうちから選択画像を選択するための画像選択装置であって、
画像比較画面を表示可能な表示部と、
前記表示部を制御する制御部と
を備え、
前記画像比較画面は、並ぶように配置される第１表示領域と第２表示領域とを含み、
前記第１表示領域に対する操作が行われる毎に、前記第１表示領域に表示される一方画像が前記複数の画像のうちのいずれかの画像に変更されるように前記制御部が前記第１表示領域を制御し、
前記第２表示領域に対する操作が行われる毎に、前記第２表示領域に表示される他方画像が前記複数の画像のうちのいずれかの画像に変更されるように前記制御部が前記第２表示領域を制御する、画像選択装置。
【請求項２】
前記一方画像は、前記複数の画像のうち、前記他方画像以外の画像を示す、請求項１に記載の画像選択装置。
【請求項３】
前記複数の画像には所定の順番が割り当てられ、
前記第１表示領域に対する操作が行われる毎に、前記一方画像が前記所定の順番に従って変更されるように前記制御部が前記第１表示領域を制御する、請求項１に記載の画像選択装置。
【請求項４】
前記一方画像が前記複数の画像のうち前記他方画像の１つ前の順番の画像である状態から、前記一方画像を前記他方画像と同じ画像に変更する操作が前記第１表示領域に対して行われると、前記一方画像が前記他方画像の１つ後の順番の画像に変更されるように、前記制御部が前記第１表示領域を制御する、請求項３に記載の画像選択装置。
【請求項５】
前記一方画像が前記複数の画像のうち前記他方画像の１つ後の順番の画像である状態から、前記一方画像を前記他方画像と同じ画像に変更する操作が前記第１表示領域に対して行われると、前記一方画像が前記他方画像の１つ前の順番の画像に変更されるように、前記制御部が前記第１表示領域を制御する、請求項３又は請求項４に記載の画像選択装置。
【請求項６】
外部からの指示を受け付ける入力部をさらに備え、
前記入力部は、前記表示部に前記画像比較画面が表示されている状態で、前記一方画像及び前記他方画像の各々を前記選択画像に選択する操作を受け付ける、請求項１から請求項５のいずれか１項に記載の画像選択装置。
【請求項７】
前記制御部は、固定モードで動作可能であり、
前記固定モードは、前記他方画像を前記複数の画像のうちの１の画像に固定した状態で、前記第１表示領域に対する操作が行われる毎に、前記一方画像を前記複数の画像のうちのいずれかの画像に変更するモードを示す、請求項１から請求項６のいずれか１項に記載の画像選択装置。
【発明の詳細な説明】
【技術分野】
【０００１】
本発明は、画像選択装置に関する。
【背景技術】
【０００２】
従来、２つの画像が表示部に並べて表示された状態で、２つの画像が比較されることがあった（例えば、特許文献１）。
【０００３】
特許文献１に記載の画像比較表示方法は、第１画像と第２画像との２枚の画像をモニタ画面に並べて表示する。モニタ画面は、第１領域と、第２領域と、第３領域と、第４領域とに分割される。第１領域は、第１画像を表示する。第２領域は、第２画像を表示する。第３領域は、複数の画像のサムネイル画像を表示する。第３領域のサムネイル画像は、第１画像に選択される。第４領域は、複数の画像のサムネイル画像を表示する。第４領域のサムネイル画像は、第２画像に選択される。
【先行技術文献】
【特許文献】
【０００４】
【特許文献１】特開２００５−９１４３０号公報
【発明の概要】
【発明が解決しようとする課題】
【０００５】
特許文献１に記載の画像比較表示方法では、ユーザーが第１画像及び第２画像の各々を変更する際、サムネイル画像から変更する画像を選択しなければならなかった。この場合、ユーザーが第１表示領域の第１画像を変更する際、ユーザーは、第１画像に選択可能なサムネイル画像が表示された第３表示領域に視線を移した後、表示されたサムネイル画像を操作し、第２画像との比較対象画像を探して、変更する第１画像を選択していた。そして、ユーザーは、画像を選択すると、サムネイル画像から第１画像及び第２画像に視線を移し第１画像と第２画像とを比較する作業を再開していた。また、第２表示領域の第２画像を変更する際は、第４領域に表示されるサムネイル画像を操作、選択することにより第２画像を変更し比較作業を行っていた。
【０００６】
このため、ユーザーが第１画像及び第２画像の各々を変更する際、ユーザーが第１画像及び第２画像と、別の領域に表示されるサムネイル画像との間で視線を変え、変更する画像を探して選択する操作をしなければならなかった。従って、第１画像と第２画像とを比較する作業が一旦中断されるので、煩雑な作業となっていた。
【０００７】
本発明は、一方画像及び他方画像の各々を容易に変更することが可能な画像選択装置を提供することを目的としている。
【課題を解決するための手段】
【０００８】
本発明の一局面によれば、画像選択装置は、複数の画像のうちから選択画像を選択するための装置である。画像選択装置は、表示部と、制御部とを備える。表示部は、画像比較画面を表示可能である。制御部は、前記表示部を制御する。前記画像比較画面は、並ぶように配置される第１表示領域と第２表示領域とを含む。前記第１表示領域に対する操作が行われる毎に、前記第１表示領域に表示される一方画像が前記複数の画像のうちのいずれかの画像に変更されるように前記制御部が前記第１表示領域を制御する。前記第２表示領域に対する操作が行われる毎に、前記第２表示領域に表示される他方画像が前記複数の画像のうちのいずれかの画像に変更されるように前記制御部が前記第２表示領域を制御する。
【発明の効果】
【０００９】
本発明によれば、一方画像及び他方画像の各々を容易に変更することができる。
【図面の簡単な説明】
【００１０】
【図１】本発明の第１実施形態に係る画像選択装置のブロック図である。
【図２】関連情報を示す図である。
【図３】画像指定画面を示す図である。
【図４】画像比較画面を示す図である。
【図５】制御部の動作を示すフロー図である。
【図６】画像比較処理の一例を示すフロー図である。
【図７】第１変更操作が行われている状態の第２表示領域を示す第１の図である。
【図８】第１変更操作の完了後の第２表示領域を示す第１の図である。
【図９】第２変更操作が行われている状態の第２表示領域を示す第１の図である。
【図１０】第１変更操作の完了後の第２表示領域を示す第１の図である。
【図１１】画像比較処理の二例を示す第１のフロー図である。
【図１２】画像比較処理の二例を示す第２のフロー図である。
【図１３】第１変更操作が行われている状態の第２表示領域を示す第２の図である。
【図１４】第１変更操作の完了後の第２表示領域を示す第２の図である。
【図１５】第２変更操作が行われている状態の第２表示領域を示す第２の図である。
【図１６】第２変更操作の完了後の第２表示領域を示す第２の図である。
【発明を実施するための形態】
【００１１】
本発明の実施形態について、図面を参照しながら説明する。なお、図中、同一又は相当部分については同一の参照符号を付して説明を繰り返さない。
【００１２】
［第１実施形態］
図１を参照して、本発明の第１実施形態に係る画像選択装置１００について説明する。図１は、本発明の第１実施形態に係る画像選択装置１００のブロック図である。
【００１３】
画像選択装置１００は、複数の画像Ｘのうちから選択画像を選択するための装置である。選択画像は、複数の画像Ｘのうちの少なくとも１つである。
【００１４】
画像選択装置１００は、例えば、作業者が撮像した複数の画像Ｘのうちから、顧客であるユーザーが選択画像を選択する際に用いられる。この場合、選択画像は、ユーザーが購入する画像、又は、ユーザーが購入する候補となる画像を示す。この場合、ユーザーは、複数の画像Ｘのうちから所望する画像Ｘを選択画像に選択する。例えば、ユーザーが２つ以上の画像Ｘを選択画像に選択した場合、ユーザーは、２つ以上の購入候補の画像Ｘのうちから、購入する画像Ｘを選ぶ。そして、ユーザーの選んだ画像Ｘがプリントアウトされ、及び／又は、ユーザーの選んだ画像Ｘのデータがユーザーに供給される。なお、画像Ｘの写真を収容したアルバム、画像Ｘがプリントされたキーホルダー及びシールのような画像Ｘを用いた商品が作成されてもよい。
【００１５】
なお、画像選択装置１００は、画像Ｘの販売目的ではなく、単にユーザーが複数の画像Ｘのうちから選択画像を選択する場合にも用いられる。
【００１６】
画像選択装置１００は、例えば、スマートフォン、タブレト端末及びＰＣ（Ｐｅｒｓｏｎａｌ  Ｃｏｍｐｕｔｅｒ）のような端末である。第１実施形態の画像選択装置１００は、タブレット端末である。
【００１７】
図１に示すように、画像選択装置１００は、表示部１０と、入力部２０と、通信部３０と、記憶部４０と、制御部５０とを有する。
【００１８】
表示部１０は、画像Ｘを表示する。表示部１０は、例えば、液晶ディスプレー（Ｌｉｑｕｉｄ  Ｃｒｙｓｔａｌ  Ｄｉｓｐｌａｙ）である。なお、表示部１０は、ＥＬ（Ｅｌｅｃｔｒｏ−Ｌｕｍｉｎｅｓｃｅｎｃｅ）ディスプレー、又は、プラズマディスプレー（ＰＤＰ）でもよい。表示部１０は、画像指定画面１１と、画像比較画面１２とを表示可能である。表示部１０に表示される画面は、画像指定画面１１と、画像比較画面１２との間で切り換え可能である。画像指定画面１１、及び画像比較画面１２の説明は後述する。
【００１９】
入力部２０は、画像選択装置１００に対する指示を受け付ける。入力部２０は、外部からの指示を受け付ける。入力部２０は、例えば、タッチパネルを含む。なお、入力部２０は、マウス、キーボード、操作ボタン、又はリモコンでもよい。また、入力部２０は、音声を入力可能な音声入力装置を含み、音声により画像選択装置１００に対する指示を受け付けてもよい。第１実施形態では、入力部２０は、タッチパネルを含む。
【００２０】
通信部３０は、サーバ１と通信するためのデバイスである。通信部３０は、同じ通信方式（プロトコル）を利用する通信機が搭載されたサーバ１との間で通信が可能である。通信部３０は、例えば、ＬＡＮボードのような通信モジュール（通信機器）を含む。通信部３０は、例えば、無線アクセスポイントと通信網とを介してサーバ１と通信する。この場合、通信部３０は、例えば、Ｗｉ−Ｆｉ（ワイファイ：登録商標）の通信規格を用いて無線アクセスポイントと通信する。
【００２１】
記憶部４０は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。記憶部４０は、制御部５０によって実行される種々のコンピュータープログラムを記憶する。
【００２２】
記憶部４０は、関連情報Ｚを記憶する。関連情報Ｚの説明は後述する。
【００２３】
制御部５０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部５０は、記憶部４０に記憶されたコンピュータープログラムを実行することにより、画像選択装置１００の各要素を制御する。
【００２４】
次に、図１及び図２を参照して関連情報Ｚについて説明する。図２は、関連情報Ｚを示す図である。
【００２５】
図１及び図２に示すように、関連情報Ｚは、画像Ｘ毎に、識別情報Ａを関連付けた情報を示す。関連情報Ｚにおいて、画像Ｘは、詳細には、画像Ｘを示すデータである。識別情報Ａは、複数の画像Ｘを互いに識別するための記号を示す。記号は、例えば、ひらがな、カタカナ、漢字、及びアルファベットのような文字、数字、並びにマークのうちの少なくとも１つを含む。
【００２６】
画像Ｘは、第１画像Ｘ１〜第Ｎ画像ＸＮを含む。Ｎは、２以上の整数である。識別情報Ａは、第１識別情報Ａ１〜第Ｎ識別情報ＡＮを含む。関連情報Ｚにおいて、第１画像Ｘ１〜第Ｎ画像ＸＮには、それぞれ、第１識別情報Ａ１〜第Ｎ識別情報ＡＮが関連付けられる。
【００２７】
サーバ１は、複数の関連情報Ｚを記憶する。第１実施形態では、関連情報Ｚはユーザー毎に作成される。従って、サーバ１は、ユーザー毎に関連情報Ｚを管理する。
【００２８】
記憶部４０は、通信部３０を介して、複数の関連情報Ｚのうちのいずれかをサーバ１から取得する。第１実施形態では、記憶部４０は、画像選択装置１００を使用するユーザーの関連情報Ｚを、サーバ１から取得する。
【００２９】
なお、サーバ１が用いられなくてもよい。例えば、関連情報Ｚが記憶部４０にのみ記憶されていてもよく、又はＵＳＢメモリのような外部記憶媒体に記憶されていてもよい。
【００３０】
次に、図３を参照して、画像指定画面１１について説明する。図３は、画像指定画面１１を示す図である。
【００３１】
図３に示すように、画像指定画面１１は、複数の画像Ｘのうち画像比較画面１２（図１参照）に表示させる画像Ｘを指定するための画面である。
【００３２】
画像指定画面１１は、複数の画像Ｘを表示する。また、画像指定画面１１は、複数の識別情報Ａを表示する。第１実施形態では、画像指定画面１１の１画面中には、第１画像Ｘ１〜第６画像Ｘ６と、第１識別情報Ａ１〜第６識別情報Ａ６とが表示される。第１識別情報Ａ１〜第６識別情報Ａ６は、それぞれ、第１画像Ｘ１〜第６画像Ｘ６の近傍に配置される。
【００３３】
画像指定画面１１は、順番決定画像１１ａを含む。順番決定画像１１ａは、順番決定基準を特定するための画像を示す。順番決定基準は、複数の画像Ｘの順番を決定するための基準を示す。順番決定基準は、例えば、撮影順、及び画像のデータ量順を含む。
【００３４】
第１実施形態では、順番決定基準として、撮影順が用いられる。従って、複数の画像Ｘの各々の順番は、複数の画像Ｘの各々の撮影順になる。なお、第１実施形態では、第１画像Ｘ１、第２画像Ｘ２、・・・・、第Ｎ画像ＸＮの順に複数の画像Ｘが撮影される。従って、第１画像Ｘ１〜第Ｎ画像ＸＮの順番は、それぞれ、１番〜Ｎ番になる。その結果、複数の画像Ｘには所定の順番が割り当てられる。なお、第１実施形態では、複数の画像Ｘは、第１画像Ｘ１〜第６画像Ｘ６で構成される。
【００３５】
順番決定画像１１ａがタップ操作されると、複数の順番決定基準を示す画像が画像指定画面１１に表示される。順番決定基準を示す画像は、例えば、「撮影順」と表示された画像、及び「画像のデータ量順」と表示された画像を示す。ユーザーは、複数の順番決定基準を示す画像のうちから所望の順番決定基準の画像をタップ操作する。その結果、入力部２０が、順番決定基準を受け付ける。そして、入力部２０が受け付けた基準に従って、制御部５０が複数の画像Ｘの各々の順番を決定する。
【００３６】
画像指定画面１１は、複数の画像Ｘを順番に表示する。第１実施形態では、順番は、入力部２０が受け付けた順番決定基準に従って決定された順番を示す。なお、順番は、順番の最後までいくと順番の最初に戻るようにループする。
【００３７】
画像指定画面１１は、２画像比較画像１１ｆをさらに含む。２画像比較画像１１ｆは、制御部５０のモードを選択するための画像を示す。制御部５０のモードの説明は後述する。
【００３８】
画像指定画面１１は、選択決定画像１３をさらに含む。画像指定画面１１において、画像Ｘ毎に、選択決定画像１３が対応している。選択決定画像１３は画像指定画面１１に表示された対象の画像Ｘに対してユーザーが選択決定した画像かどうかを示すものであり、対象の画像Ｘを選択決定画像として選択、解除するための操作を受け付ける。以下では、選択決定画像１３に対応している画像Ｘを対応画像と記載することがある。
【００３９】
選択決定画像１３がタップ操作されると、対応画像が選択画像に選択される。その結果、入力部２０が選択操作を受け付ける。選択操作は、対応画像を選択画像に選択する操作を示す。入力部２０が選択操作を受け付けることで、対応画像が選択画像に選択される。
【００４０】
第１実施形態では、対応画像が選択画像に選択されていない状態と、対応画像が選択画像に選択されている状態とでは、選択決定画像１３の色が異なる。その結果、ユーザーは、対応画像が選択画像に選択されているか否かを視認することができる。例えば、図３において、第４画像Ｘ４が選択画像に選択されている。第１画像Ｘ１〜第３画像Ｘ３と、第５画像Ｘ５と、第６画像Ｘ６とは、選択画像に選択されていない。
【００４１】
次に、図４を参照して、画像比較画面１２について説明する。図４は、画像比較画面１２を示す図である。
【００４２】
図４に示すように、画像比較画面１２は、複数の画像Ｘのうちの２つ以上の画像Ｘを表示する画面である。第１実施形態では、画像比較画面１２は、複数の画像Ｘのうちの２つ画像Ｘを表示する。ユーザーが複数の画像Ｘを互いに比較しやすくするために、画像比較画面１２が設けられる。
【００４３】
画像比較画面１２は、第１表示領域１２ａと第２表示領域１２ｂとを含む。第１表示領域１２ａ及び第２表示領域１２ｂの各々は、複数の画像Ｘのうちのいずれかを表示するための領域である。第１表示領域１２ａと第２表示領域１２ｂとは、並ぶように配置される。
【００４４】
以下では、複数の画像Ｘのうち、第１表示領域１２ａに表示される画像Ｘを一方画像αと記載することがある。また、複数の画像Ｘのうち、第２表示領域１２ｂに表示される画像Ｘを他方画像βと記載することがある。
【００４５】
画像比較画面１２は、一方画像αの識別情報Ａと、他方画像βの識別情報Ａとを表示する。一方画像αの識別情報Ａは、一方画像αの近傍に配置される。他方画像βの識別情報Ａは、他方画像βの近傍に配置される。
【００４６】
画像比較画面１２は、複数の選択決定画像１３をさらに含む。画像比較画面１２において、一方画像αと他方画像βとには、複数の選択決定画像１３がそれぞれ対応している。
【００４７】
一方画像αに対応する選択決定画像１３がタップ操作されることで、一方画像αを選択画像に選択する操作を入力部２０が受け付ける。その結果、一方画像αが選択画像に選択される。
【００４８】
また、他方画像βに対応する選択決定画像１３がタップ操作されることで、他方画像βを選択画像に選択する操作を入力部２０が受け付ける。その結果、他方画像βが選択画像に選択される。
【００４９】
次に、図３から図５を参照して、制御部５０の動作について説明する。図５は、制御部５０の動作を示すフロー図である。
【００５０】
図３に示すように、ステップＳ１００において、表示部１０が画像指定画面１１を表示するように、制御部５０が表示部１０を制御する。
【００５１】
ステップＳ１１０において、入力部２０は、複数の画像Ｘのうち、第１表示領域１２ａに表示される画像Ｘの選択を受け付ける。第１実施形態では、第２画像Ｘ２が、第１表示領域１２ａに表示される画像に選択される。
【００５２】
ステップＳ１２０において、入力部２０は、複数の画像Ｘのうち、第２表示領域１２ｂに表示される画像Ｘの選択を受け付ける。第１実施形態では、第５画像Ｘ５が、第２表示領域１２ｂに表示される画像に選択される。
【００５３】
ステップＳ１３０において、入力部２０が切替指示を受け付ける。切替指示は、表示部１０に表示される画像を画像指定画面１１から画像比較画面１２に切り替える指示を示す。第１実施形態では、画像指定画面１１上の２画像比較画像１１ｆがタップ操作されることで、入力部２０であるタッチパネルが切替指示を受け付ける。
【００５４】
ステップＳ１４０において、表示部１０が画像比較画面１２を表示するように、制御部５０が表示部１０を制御する。その結果、表示部１０に表示される画面が、画像指定画面１１から画像比較画面１２に切り替わる。
【００５５】
画像比較画面１２において、第１表示領域１２ａには、ステップＳ１１０で選択された第２画像Ｘ２が表示される（図７参照）。
【００５６】
画像比較画面１２において、第２表示領域１２ｂには、ステップＳ１２０で選択された第５画像Ｘ５が表示される（図７参照）。
【００５７】
ステップＳ２００において、制御部５０が画像比較処理を行う。その結果、処理が終了する。
【００５８】
次に、図６を参照して、画像比較処理の一例について説明する。図６は、画像比較処理の一例を示すフロー図である。
【００５９】
制御部５０が画像比較処理を行う際、制御部５０が画像比較モードで動作する。画像比較モードでは、一方画像α及び他方画像βの双方を複数の画像Ｘのうちから変更可能である。
【００６０】
図６に示すように、ステップＳ２１０において、第１表示領域１２ａに対する操作が行われたか否かを制御部５０が判定する。
【００６１】
第１表示領域１２ａに対する操作は、第１表示領域１２ａに表示される画像Ｘを複数の画像Ｘのうちから変更するための操作である。
【００６２】
第１表示領域１２ａに対する操作は、第１表示領域１２ａに対して接触する接触操作、及び第１表示領域１２ａに対するジェスチャー操作のうちの少なくとも１つを示す。
【００６３】
接触操作は、例えば、タップ操作、フリック操作、スワイプ操作、ピンチイン操作、及びピンチアウト操作のような表示部１０であるタッチパネルに対する操作を示す。画像比較画面１２上の第１表示領域１２ａに対して接触操作が行われることで、第１表示領域１２ａに表示される画像が複数の画像Ｘのうちのいずれかに変更される。この場合、表示部１０がタッチパネルとして機能し、タッチパネルが接触操作を受け付ける。
【００６４】
ジェスチャー操作は、ユーザーが画像選択装置１００に向かって人が予め決められた動きを行うことで、表示部１０に接触することなく、画像選択装置１００に対して指示を入力する操作を示す。画像比較画面１２上の第１表示領域１２ａに対するジェスチャー操作が行われることで、第１表示領域１２ａに表示される画像が複数の画像Ｘのうちのいずれかに変更される。この場合、画像選択装置１００に人の動きを撮像する撮像部を設け、撮像部が人の動きを撮像することでジェスチャー操作を受け付ける。
【００６５】
第１実施形態では、第１表示領域１２ａに対する操作は、第１表示領域１２ａに対するスワイプ操作である。
【００６６】
ステップＳ２１０において、第１表示領域１２ａに対する操作が行われたと制御部５０が判定すると（ステップＳ２１０で、Ｙｅｓ）、処理がステップＳ２２０に移行する。第１表示領域１２ａに対する操作が行われていないと制御部５０が判定すると（ステップＳ２１０で、Ｎｏ）、処理がステップＳ２３０に移行する。
【００６７】
ステップＳ２２０において、一方画像αが、一方画像αの次の順番の画像Ｘに変更されるように、制御部５０が第１表示領域１２ａを制御する。その結果、一方画像αの次の順番の画像Ｘが、第１表示領域１２ａに表示される。さらに、変更後の一方画像αに対応した識別情報Ａと、選択決定画像１３とが、第１表示領域１２ａに表示される。
【００６８】
第１表示領域１２ａに対する操作が行われる毎に、一方画像αが所定の順番に従って複数の画像Ｘのうちから変更されるように、制御部５０が第１表示領域１２ａを制御する。所定の順番は、画像指定画面１１（図３参照）において、順番決定画像１１ａを介して設定された順番を示す。
【００６９】
ステップＳ２３０において、第２表示領域１２ｂに対する操作が行われたか否かを制御部５０が判定する。
【００７０】
第２表示領域１２ｂに対する操作は、第２表示領域１２ｂに対して接触する接触操作、及び、第２表示領域１２ｂに対するジェスチャー操作のうちの少なくとも１つを示す。
【００７１】
第１実施形態では、第２表示領域１２ｂに対する操作は、第２表示領域１２ｂに対するスワイプ操作である。
【００７２】
ステップＳ２３０において、第２表示領域１２ｂに対する操作が行われたと制御部５０が判定すると（ステップＳ２３０で、Ｙｅｓ）、処理がステップＳ２４０に移行する。第２表示領域１２ｂに対する操作が行われていないと制御部５０が判定すると（ステップＳ２３０で、Ｎｏ）、処理がステップＳ２５０に移行する。
【００７３】
ステップＳ２４０において、他方画像βが、他方画像βの次の順番の画像Ｘに変更されるように、制御部５０が第２表示領域１２ｂを制御する。その結果、他方画像βの次の順番の画像Ｘが、第２表示領域１２ｂに表示される。さらに、変更後の他方画像βに対応した識別情報Ａと、選択決定画像１３とが、第２表示領域１２ｂに表示される。
【００７４】
第２表示領域１２ｂに対する操作が行われる毎に、他方画像βが所定の順番に従って複数の画像Ｘのうちから変更されるように、制御部５０が第２表示領域１２ｂを制御する。
【００７５】
ステップＳ２５０において、入力部２０が画像比較処理の終了を受け付けたか否かを制御部５０が判定する。入力部２０が画像比較処理の終了を受け付けるとは、例えば、画像比較画面１２上の所定の画像１２ｃ（図４参照）がタップ操作されることを示す。入力部２０が画像比較処理の終了を受け付けると（ステップＳ２５０で、Ｙｅｓ）、処理が終了する。入力部２０が画像比較処理の終了を受け付けないと（ステップＳ２５０で、Ｎｏ）、処理がステップＳ２１０に移行する。
【００７６】
以上、図６を参照して説明したように、第１表示領域１２ａに対する操作が行われる毎に、第１表示領域１２ａに表示される一方画像αが複数の画像Ｘのうちのいずれかの画像Ｘに変更されるように制御部５０が第１表示領域１２ａを制御する（ステップＳ２１０、及びステップＳ２２０参照）。従って、ユーザーは、第１表示領域１２ａに対する接触操作、及び／又は、ジェスチャー操作のような第１表示領域１２ａに対する操作を行うことで一方画像αを変更することができる。その結果、ユーザーは、一方画像αを視認しつつ変更することができるので、一方画像αを容易に変更することができる。また、ユーザーは、接触操作、及び／又は、ジェスチャー操作のような直観的な操作により一方画像αを変更することができるので、一方画像αを容易に変更することができる。
【００７７】
また、第２表示領域１２ｂに対する操作が行われる毎に、第２表示領域１２ｂに表示される他方画像βが複数の画像Ｘのうちのいずれかの画像Ｘに変更されるように制御部５０が第２表示領域１２ｂを制御する（ステップＳ２３０、及びステップＳ２４０参照）。従って、ユーザーは、第２表示領域１２ｂに対する接触操作、及び／又は、ジェスチャー操作のような第２表示領域１２ｂに対する操作を行うことで他方画像βを変更することができる。その結果、ユーザーは、他方画像βを視認しつつ変更することができるので、他方画像βを容易に変更することができる。また、ユーザーは、接触操作、及び／又は、ジェスチャー操作のような直観的な操作により他方画像βを変更することができるので、他方画像βを容易に変更することができる。
【００７８】
また、一方画像αは第１表示領域１２ａに対する操作により変更され、かつ、他方画像βは第２表示領域１２ｂに対する操作により変更される。従って、一方画像α及び他方画像βの各々を変更するための画像を画像比較画面１２上に設ける必要がない。一方画像α及び他方画像βの各々を変更するための画像は、例えば、サムネイル画像である。その結果、画像比較画面１２上にサムネイル画像を設けなくてもよい分、画像比較画面１２上で第１表示領域１２ａが占めるエリアと、第２表示領域１２ｂが占めるエリアとを大きくできるので、例えば、タブレト端末及びスマートフォンのような表示部１０の面積が比較的小さい端末でも、一方画像α及び他方画像βの各々を大きく表示することが可能になる。
【００７９】
次に、図７から図１０を参照して、ステップＳ２３０及びステップＳ２４０に示す処理について説明する。ステップＳ２３０及びステップＳ２４０に示す処理は、第２表示領域１２ｂに対する操作が行われることで、他方画像βが変更される処理を示す。
【００８０】
第２表示領域１２ｂに対する操作は、第１変更操作と、第２変更操作とを含む。
【００８１】
図７は、第１変更操作が行われている状態の第２表示領域１２ｂを示す第１の図である。
【００８２】
図７に示すように、第１変更操作は、複数の画像Ｘのうち他方画像βよりも１つ後の順番の画像Ｘに他方画像βを変更する操作を示す。第１実施形態では、第１変更操作は、第２表示領域１２ｂを一方向（画面左方向）にスワイプする操作を示す。
【００８３】
図８は、第１変更操作の完了後の第２表示領域１２ｂを示す第１の図である。
【００８４】
図７及び図８に示すように、第２表示領域１２ｂに第５画像Ｘ５が表示されている状態から、第２表示領域１２ｂを一方向にスワイプする第１変更操作が行われることで、他方画像βが第５画像Ｘ５から第６画像Ｘ６に変更される。その結果、第６識別情報Ａ６と、第６画像Ｘ６の選択決定画像１３とが、第２表示領域１２ｂに表示される。
【００８５】
図９は、第２変更操作が行われている状態の第２表示領域１２ｂを示す第１の図である。
【００８６】
図９に示すように、第２変更操作は、複数の画像Ｘのうち他方画像βよりも１つ前の順番の画像Ｘに他方画像βを変更する操作を示す。第１実施形態では、第２変更操作は、第２表示領域１２ｂを他方向（画面右方向）にスワイプする操作を示す。
【００８７】
図１０は、第２変更操作の完了後の第２表示領域１２ｂを示す第１の図である。
【００８８】
図９及び図１０に示すように、第２表示領域１２ｂに第６画像Ｘ６が表示されている状態から、第２表示領域１２ｂを他方向にスワイプする第２変更操作が行われることで、他方画像βが第６画像Ｘ６から第５画像Ｘ５に変更される。その結果、第５識別情報Ａ５と、第５画像Ｘ５の選択決定画像１３とが、第２表示領域１２ｂに表示される。
【００８９】
次に、ステップＳ２１０及びステップＳ２２０に示す処理（図６参照）について説明する。ステップＳ２１０及びステップＳ２２０に示す処理は、第１表示領域１２ａに対する操作が行われることで、一方画像αが変更される処理を示す。
【００９０】
第１表示領域１２ａに対する操作は、第３変更操作と、第４変更操作とを含む。
【００９１】
第１実施形態では、第３変更操作は、第１表示領域１２ａを一方向（画面左方向）にスワイプする操作を示す。第１実施形態では、第４変更操作は、第１表示領域１２ａを他方向（画面右方向）にスワイプする操作を示す。第１表示領域１２ａは、例えば、図７に示される。
【００９２】
第３変更操作が行われると、複数の画像Ｘのうち一方画像αよりも１つ後の順番の画像Ｘに、一方画像αが変更される。例えば、図７において、第３変更操作により、一方画像αが第２画像Ｘ２から第３画像Ｘ３に変更される。その結果、第３識別情報Ａ３と、第３画像Ｘ３の選択決定画像１３とが、第１表示領域１２ａに表示される。
【００９３】
第４変更操作が行われると、複数の画像Ｘのうち一方画像αよりも１つ前の順番の画像Ｘに、一方画像αが変更される。例えば、図７において、第４変更操作により、一方画像αが第２画像Ｘ２から第１画像Ｘ１に変更される。その結果、第１識別情報Ａ１と、第１画像Ｘ１の選択決定画像１３とが、第１表示領域１２ａに表示される。
【００９４】
以上、図７から図１０を参照して説明したように、一方画像αと他方画像βとを画像比較画面１２上に並べた状態で、一方画像αと他方画像βとの各々を複数の画像Ｘのうちのいずれかの画像Ｘに変更することができる。その結果、ユーザーは、画像比較作業を容易に行うことができる。画像比較作業は、第１表示領域１２ａに表示される一方画像αと、第２表示領域１２ｂに表示される他方画像βとを比較する作業を示す。
【００９５】
また、第１表示領域１２ａには、一方画像αに対応する選択決定画像１３が表示される。従って、第１表示領域１２ａに一方画像αが表示されている状態で、入力部２０は、一方画像αを選択画像に選択する操作を受け付ける。その結果、ユーザーは、画像比較作業を行う際、気に入った一方画像αを選択画像に容易にすることができる。
【００９６】
また、第２表示領域１２ｂには、他方画像βに対応する選択決定画像１３が表示される。従って、第２表示領域１２ｂに他方画像βが表示されている状態で、入力部２０は、他方画像βを選択画像に選択する操作を受け付ける。その結果、ユーザーは、画像比較作業を行う際、気に入った他方画像βを選択画像に容易に選択することができる。
【００９７】
［第２実施形態］
次に、図１１から図１６を参照して、画像比較処理の二例について説明する。図１１は、画像比較処理の二例を示す第１のフロー図である。図１２は、画像比較処理の二例を示す第２のフロー図である。
【００９８】
第２実施形態は、一方画像αと他方画像βとが同じ画像にならない点で第１実施形態と異なる。以下では、主に第１実施形態と異なる点を説明する。
【００９９】
図１１に示すように、ステップＳ３１０において、第１表示領域１２ａに対する操作が行われたか否かを制御部５０が判定する。
【０１００】
ステップＳ３１０において、第１表示領域１２ａに対する操作が行われたと制御部５０が判定すると（ステップＳ３１０で、Ｙｅｓ）、処理がステップＳ３１１に移行する。第１表示領域１２ａに対する操作が行われていないと制御部５０が判定すると（ステップＳ３１０で、Ｎｏ）、処理が図１２に示すステップＳ３３０に移行する。
【０１０１】
ステップＳ３１１において、第１表示領域１２ａに対する操作が行われて一方画像αが変更された場合の変更後の一方画像αが他方画像βと同じ画像であるか否かを制御部５０が判定する。変更後の一方画像αが他方画像βと同じ画像である場合（ステップＳ３１１で、Ｙｅｓ）、処理がステップＳ３２１に移行する。変更後の一方画像αが他方画像βと同じ画像でない場合（ステップＳ３１１で、Ｎｏ）、処理がステップＳ３２０に移行する。
【０１０２】
ステップＳ３２０において、一方画像αが、一方画像αの次の順番の画像Ｘに変更されるように、制御部５０が第１表示領域１２ａを制御する。
【０１０３】
ステップＳ３２１において、第１表示領域１２ａに対する操作が行われると、一方画像αの順番から１つ飛んだ順番の画像Ｘに一方画像αが変更されるように、制御部５０が第１表示領域１２ａを制御する。すなわち、一方画像αの次の順番の画像である他方画像βの順番が飛ばされる。従って、他方画像βの次の順番の画像Ｘが、第１表示領域１２ａに表示される。その結果、変更後の一方画像αが他方画像βと同じ画像になることを回避できる。また、一方画像αの順番から１つ飛んだ順番の画像Ｘに一方画像αが変更されることに伴って、変更後の一方画像αに対応した識別情報Ａと、選択決定画像１３とが、第１表示領域１２ａに表示される。
【０１０４】
ステップＳ３２０に示す処理、及びステップＳ３２１に示す処理の各々が終了すると、処理が図１２に示すステップＳ３３０に移行する。
【０１０５】
図１２に示すように、ステップＳ３３０において、第２表示領域１２ｂに対する操作が行われたと制御部５０が判定すると（ステップＳ３３０で、Ｙｅｓ）、処理がステップＳ３３１に移行する。第２表示領域１２ｂに対する操作が行われていないと制御部５０が判定すると（ステップＳ３３０で、Ｎｏ）、処理がステップＳ３５０に移行する。
【０１０６】
ステップＳ３３１において、第２表示領域１２ｂに対する操作が行われて他方画像βが変更された場合の変更後の他方画像βが一方画像αと同じ画像であるか否かを制御部５０が判定する。変更後の他方画像βが一方画像αと同じ画像である場合（ステップＳ３３１で、Ｙｅｓ）、処理がステップＳ３４１に移行する。変更後の他方画像βが一方画像αと同じ画像でない場合（ステップＳ３３１で、Ｎｏ）、処理がステップＳ３４０に移行する。
【０１０７】
ステップＳ３４０において、他方画像βが、他方画像βの次の順番の画像Ｘに変更されるように、制御部５０が第２表示領域１２ｂを制御する。
【０１０８】
ステップＳ３４１において、第２表示領域１２ｂに対する操作が行われると、他方画像βの順番から１つ飛んだ順番の画像Ｘに他方画像βが変更されるように、制御部５０が第２表示領域１２ｂを制御する。すなわち、他方画像βの次の順番の画像である一方画像αの順番が飛ばされる。従って、一方画像αの次の順番の画像Ｘが、第２表示領域１２ｂに表示される。その結果、変更後の他方画像βが一方画像αと同じ画像になることを回避できる。また、他方画像βの順番から１つ飛んだ順番の画像Ｘに他方画像βが変更されることに伴って、変更後の他方画像βに対応した識別情報Ａと、選択決定画像１３とが、第２表示領域１２ｂに表示される。
【０１０９】
ステップＳ３４０に示す処理、及びステップＳ３４１に示す処理の各々が終了すると、処理がステップＳ３５０に移行する。
【０１１０】
ステップＳ３５０において、入力部２０が画像比較処理の終了を受け付けると（ステップＳ３５０で、Ｙｅｓ）、処理が終了する。入力部２０が画像比較処理の終了を受け付けないと（ステップＳ３５０で、Ｎｏ）、処理がステップＳ３１０に移行する。
【０１１１】
次に、図１３から図１６を参照して、ステップＳ３３０、ステップＳ３３１及びステップＳ３４１に示す処理について説明する。ステップＳ３１０、ステップＳ３３１及びステップＳ３４１に示す処理は、第２表示領域１２ｂに対する操作が行われる際、他方画像βが一方画像αと同じ画像にならないように変更される処理を示す。
【０１１２】
上記のように、第２表示領域１２ｂに対する操作は、他方画像βを他方画像βの１つ後の順番の画像Ｘに変更するための第１変更操作と、他方画像βを他方画像βの１つ前の順番の画像Ｘに変更するための第２変更操作とを含む。
【０１１３】
図１３は、第１変更操作が行われている状態の第２表示領域１２ｂを示す第２の図である。
【０１１４】
図１３に示すように、第２実施形態において、一方画像αは、第２画像Ｘ２である。第２実施形態において、他方画像βは、第１画像Ｘ１である。第２実施形態では、第１変更操作が行われる。具体的には、第２表示領域１２ｂが一方向（図１３の画面左方向）にスワイプされる。
【０１１５】
図１４は、第１変更操作の完了後の第２表示領域１２ｂを示す第２の図である。
【０１１６】
図１３及び図１４に示すように、第２表示領域１２ｂに第１画像Ｘ１が表示されている状態から第１変更操作が行われることで、他方画像βが第１画像Ｘ１から第２画像Ｘ２に変更されず、第２画像Ｘ２の１つ後の順番の画像である第３画像Ｘ３に変更される。従って、一方画像αと他方画像βとが共に第２画像Ｘ２になることを防止できる。また、他方画像βが第３画像Ｘ３に変更されることに伴って、第３識別情報Ａ３と、第３画像Ｘ３の選択決定画像１３とが、第２表示領域１２ｂに表示される。
【０１１７】
図１５は、第２変更操作が行われている状態の第２表示領域１２ｂを示す第２の図である。
【０１１８】
図１５に示すように、第２実施形態において、一方画像αは、第２画像Ｘ２である。第２実施形態において、他方画像βは、第３画像Ｘ３である。第２実施形態では、第２変更操作が行われる。具体的には、第２表示領域１２ｂが他方向（図１５の画面右方向）にスワイプされる。
【０１１９】
図１６は、第２変更操作の完了後の第２表示領域１２ｂを示す第２の図である。
【０１２０】
図１５及び図１６に示すように、第２表示領域１２ｂに第３画像Ｘ３が表示されている状態から第２変更操作が行われることで、他方画像βが第３画像Ｘ３から第２画像Ｘ２に変更されず、第２画像Ｘ２の１つ前の順番の画像である第１画像Ｘ１に変更される。従って、一方画像αと他方画像βとが共に第２画像Ｘ２になることを防止できる。また、他方画像βが第１画像Ｘ１に変更されることに伴って、第１識別情報Ａ１と、第１画像Ｘ１の選択決定画像１３とが、第２表示領域１２ｂに表示される。
【０１２１】
以上、図１３から図１６を参照して説明したように、他方画像βが複数の画像Ｘのうち一方画像αの１つ前の順番の画像Ｘである状態から、第１変更操作が行われると、他方画像βが一方画像αの１つ後の順番の画像Ｘに変更されるように、制御部５０が第２表示領域１２ｂを制御する。従って、他方画像βが一方画像αと同じ画像になることを防止できる。
【０１２２】
また、他方画像βが複数の画像Ｘのうち一方画像αの１つ後の順番の画像Ｘである状態から第２変更操作が行われると、他方画像βが一方画像αの１つ前の順番の画像に変更されるように、制御部５０が第２表示領域１２ｂを制御する。従って、他方画像βが一方画像αと同じ画像になることを防止できる。
【０１２３】
その結果、ユーザーは、一方画像αと他方画像βとを比較しつつ、複数の画像Ｘのうちから選択画像を選択する作業を円滑に行うことができる。
【０１２４】
次に、図１５及び図１６を参照して、ステップＳ３１０、ステップＳ３１１、及びステップＳ３２１に示す処理（図１１参照）について説明する。ステップＳ３１０、ステップＳ３１１、及びステップＳ３２１に示す処理は、第１表示領域１２ａに対する操作が行われる際、一方画像αが他方画像βと同じ画像にならないように変更される処理を示す。
【０１２５】
上記のように、第１表示領域１２ａに対する操作は、一方画像αを一方画像αの１つ後の順番の画像Ｘに変更するための第３変更操作と、一方画像αを一方画像αの１つ前の順番の画像Ｘに変更するための第４変更操作とを含む。
【０１２６】
例えば、図１５に示すように、一方画像αが第２画像Ｘ２であり、かつ、他方画像βが第３画像Ｘ３である状態で、第３変更操作が行われる。具体的には、第１表示領域１２ａが一方向（図１５の画面左方向）にスワイプされる。この場合、一方画像αが、第２画像Ｘ２から第３画像Ｘ３に変更されず、第３画像Ｘ３の１つ後の順番の画像である第４画像Ｘ４に変更される。また、一方画像αが第４画像Ｘ４に変更されることに伴って、第４識別情報Ａ４と、第４画像Ｘ４の選択決定画像１３とが、第１表示領域１２ａに表示される。
【０１２７】
例えば、図１６に示すように、一方画像αが第２画像Ｘ２であり、かつ、他方画像βが第１画像Ｘ１である状態で、第４変更操作が行われる。具体的には、第１表示領域１２ａが他方向（図１６の画面右方向）にスワイプされる。この場合、一方画像αが、第２画像Ｘ２から第１画像Ｘ１に変更されず、第１画像Ｘ１の１つ前の順番の画像である第６画像Ｘ６（図３参照）に変更される。また、一方画像αが第６画像Ｘ６に変更されることに伴って、第６識別情報Ａ６と、第６画像Ｘ６の選択決定画像１３とが、第１表示領域１２ａに表示される。
【０１２８】
以上、図１５及び図１６を参照して説明したように、一方画像αが複数の画像Ｘのうち他方画像βの１つ前の順番の画像Ｘである状態から、第３変更操作が行われると、一方画像αが他方画像βの１つ後の順番の画像Ｘに変更されるように、制御部５０が第１表示領域１２ａを制御する。従って、一方画像αが他方画像βと同じ画像になることを防止できる。
【０１２９】
また、一方画像αが複数の画像Ｘのうち他方画像βの１つ後の順番の画像Ｘである状態から第４変更操作が行われると、一方画像αが他方画像βの１つ前の順番の画像に変更されるように、制御部５０が第１表示領域１２ａを制御する。従って、一方画像αが他方画像βと同じ画像になることを防止できる。
【０１３０】
その結果、ユーザーは、一方画像αと他方画像βとを比較しつつ、複数の画像Ｘのうちから選択画像を選択する作業を円滑に行うことができる。
【０１３１】
以上、図面（図１〜図１６）を参照しながら本発明の実施形態について説明した。但し、本発明は、上記の実施形態に限られるものではなく、その要旨を逸脱しない範囲で種々の態様において実施することが可能である（例えば、（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１３２】
（１）第１実施形態、及び第２実施形態において、一方画像αを変更するための第１サムネイル画像が画像比較画面１２に表示されてもよい。従って、ユーザーは、第１表示領域１２ａに対する操作と、第１サムネイル画像に対する操作とのうちの好みの操作を用いて、一方画像αを変更ことができる。第１サムネイル画像に対する操作は、第１サムネイル画像として複数の画像Ｘが画像比較画面１２に表示されている状態で、複数の画像Ｘのうちのいずれかの画像Ｘを一方画像αに選択する操作を示す。
【０１３３】
また、他方画像βを変更するための第２サムネイル画像が画像比較画面１２に表示されてもよい。従って、ユーザーは、第２表示領域１２ｂに対する操作と、第２サムネイル画像対する操作とのうちの好みの操作を用いて、他方画像βを変更ことができる。
【０１３４】
しかし、第１実施形態、及び第２実施形態のように、画像比較画面１２に第１サムネイル画像と第２サムネイル画像とを表示しない方が、画像比較画面１２に表示される一方画像αのサイズと、他方画像βのサイズとを大きくすることができる点で有利である。
【０１３５】
（２）第１実施形態、及び第２実施形態では、一方画像α、及び他方画像βの双方を変更可能である。しかし、本発明はこれに限定されない。
【０１３６】
他方画像βは変更可能であるが、一方画像αは変更不能であってもよい。この場合、制御部５０は、第１固定モードで動作する。第１固定モードは、一方画像αを複数の画像Ｘのうちの１の画像に固定した状態で、第２表示領域１２ｂに対する操作が行われる毎に、他方画像βを複数の画像Ｘのうちのいずれかの画像Ｘに変更するモードを示す。一方画像αを複数の画像Ｘのうちの１の画像に固定されることは、制御部５０が一方画像αの変更を受け付けないことを示す。従って、第１表示領域１２ａに対する操作が行われても、一方画像αが変更されない。
【０１３７】
また、一方画像αは変更可能であるが、他方画像βは変更不能であってもよい。この場合、制御部５０は、第２固定モードで動作する。第２固定モードは、他方画像βを複数の画像Ｘのうちの１の画像に固定した状態で、第１表示領域１２ａに対する操作が行われる毎に、一方画像αを複数の画像Ｘのうちのいずれかの画像Ｘに変更するモードを示す。この場合、第２表示領域１２ｂに対する操作が行われても、他方画像βが変更されない。
【０１３８】
制御部５０が第１固定モード又は第２固定モードで動作することで、ユーザーは、一方画像α又は他方画像βのいちの一方の画像Ｘを特定の画像Ｘに固定した状態で、他方の画像Ｘだけを変更することができる。
【０１３９】
（３）画像比較画面１２に他方画像βが表示されない場合について説明する。図５のステップＳ１１０〜Ｓ１３０において、ステップＳ１１０で第１表示領域１２ａに表示される一方画像αが選択された後、ステップＳ１２０に示す処理が行われることなく、ステップＳ１３０に示す処理が行われると、表示部１０には、一方画像αが表示されるが、他方画像βが表示されない。この場合、表示部１０には、第２表示領域１２ｂが設けられず、第２表示領域１２ｂ用に確保されていた領域が第１表示領域１２ａで占められる。その結果、ステップＳ１２０に示す処理が行われた場合に比べて、一方画像αが表示部１０に大きく表示される。そして、第１表示領域１２ａに対する操作が行われる毎に、一方画像αが変更される。
【０１４０】
（４）第１実施形態、及び第２実施形態では、画像比較画面１２には、２つの表示領域（第１表示領域１２ａ、及び第２表示領域１２ｂ）が表示されるが、本発明はこれに限定されない。画像比較画面１２には、３つ以上の画像表示領域が表示されてもよい。３つ以上の画像表示領域の各々には、複数の画像Ｘのうちのいずれかの画像Ｘが表示される。３つ以上の画像表示領域の各々において、画像表示領域に対する操作が行われる毎に、画像表示領域に表示される画像Ｘが複数の画像Ｘのうちのいずれかの画像Ｘに変更される。その結果、ユーザーは、３つ以上の画像Ｘを同時に比較して、選択画像を選択することが可能になる。
【産業上の利用可能性】
【０１４１】
本発明は、画像選択装置の分野に利用可能である。
【符号の説明】
【０１４２】
１０    表示部
１２    画像比較画面
１２ａ  第１表示領域
１２ｂ  第２表示領域
２０    入力部
４０    記憶部
５０    制御部
１００  画像選択装置
Ｘ      画像
α      一方画像
β      他方画像
【図１】
2020008934.tif 000003
【図２】
2020008934.tif 000004
【図３】
2020008934.tif 000005
【図４】
2020008934.tif 000006
【図５】
2020008934.tif 000007
【図６】
2020008934.tif 000008
【図７】
2020008934.tif 000009
【図８】
2020008934.tif 000010
【図９】
2020008934.tif 000011
【図１０】
2020008934.tif 000012
【図１１】
2020008934.tif 000013
【図１２】
2020008934.tif 000014
【図１３】
2020008934.tif 000015
【図１４】
2020008934.tif 000016
【図１５】
2020008934.tif 000017
【図１６】
2020008934.tif 000018